(57)【特許請求の範囲】
【請求項１】
（イ）給湯バーナと、
（ロ）上記給湯バーナからの熱を受ける給湯熱交換器と、
（ハ）上記給湯熱交換器を通る給湯配管と、
（ニ）上記給湯バーナにガスを供給する給湯ガス通路と、
（ホ）上記給湯配管の水流により発電を行う水流発電機と、
（ヘ）上記給湯ガス通路に設けられるとともに上記水流発電機に接続され、水流発電機からの電力を受けて開くことにより、上記給湯バーナへのガス供給を行う電磁開閉弁と、
（ト）上記給湯バーナの近傍に配置されるとともに上記水流発電機に接続され、水流発電機からの電力を受けて火花を発生させることにより、上記給湯バーナを点火させるイグナイタと、
を備えたことを特徴とする給湯装置。
【請求項２】
さらに、上記給湯バーナの近傍に配置され給湯バーナの火炎からの熱を電力に変換する熱電変換手段を備え、
上記電磁開閉弁は、弁体とこの弁体に固定されたアーマチャと、上記水流発電機からの電力を受けてアーマチャを引き付けることにより弁体を開動作させる主電磁コイルと、上記熱電変換手段からの電力を受けて上記アーマチャを引き付けることにより、上記弁体の開状態を維持する副電磁コイルとを有し、
さらに主電磁コイル用のスイッチ手段を備え、このスイッチ手段は、上記水流発電機を電源とする上記主電磁コイルの給電回路に組み込まれ、上記給湯バーナの火炎の熱を受けない時にオンし、この熱を受けた時にオフすることを特徴とする請求項１に記載の給湯装置。
【請求項３】
さらに副電磁コイル用のスイッチ手段を備え、このスイッチ手段は、上記熱電変換手段を電源とする上記副電磁コイルの給電回路に組み込まれ、上記水流発電機からの電力を受けた時にオンし、水流発電機からの電力を受けない時にオフすることを特徴とする請求項２に記載の給湯装置。
【請求項４】
さらにイグナイタ用のスイッチ手段を備え、このスイッチ手段は、上記水流発電機を電源とする上記イグナイタの給電回路に組み込まれ、上記給湯バーナの火炎の熱を受けない時にオンし、この熱を受けた時にオフすることを特徴とする請求項１〜３のいずれかに記載の給湯装置。
【請求項５】
請求項１〜４のいずれかに記載の給湯装置と、追焚装置とを装備してなる風呂釜において、この追焚装置は、
（イ）追焚バーナと、
（ロ）上記追焚バーナからの熱を受ける追焚熱交換器と、
（ハ）上記追焚熱交換器を通り浴槽に連なる追焚配管と、
（ニ）上記追焚バーナにガスを供給する追焚ガス通路と、
（ホ）手動発電機と、
（ヘ）この手動発電機を回転させて電力を生じさせる手動操作手段と、
（ト）上記追焚ガス通路に設けられるとともに上記手動発電機に接続され、手動発電機からの電力を受けて開くことにより、上記追焚バーナへのガス供給を行う他の電磁開閉弁と、
（ヘ）上記追焚バーナの近傍に配置されるとともに上記手動発電機に接続され、手動発電機からの電力を受けて火花を発生させることにより、上記追焚バーナを点火させる他のイグナイタと、
を備えたことを特徴とする風呂釜。
【請求項６】
さらに、上記追焚バーナの近傍に配置され追焚バーナの火炎からの熱を電力に変換する他の熱電変換手段を備え、
上記他の電磁開閉弁は、弁体とこの弁体に固定されたアーマチャと、上記発電機からの電力を受けてアーマチャを引き付けることにより弁体を開動作させる主電磁コイルと、当該他の熱電変換手段からの電力を受けて上記アーマチャを引き付けることにより、上記弁体の開状態を維持する副電磁コイルとを有することを特徴とする請求項５に記載の風呂釜。
【発明の詳細な説明】
【０００１】
【発明の属する技術分野】
本発明は、給湯装置、および給湯，追焚を行う風呂釜に関する。
【０００２】
【従来の技術】
給湯と追焚の両方を行うことができる従来の風呂釜を例にとって説明する。この風呂釜は、給湯バーナと追焚バーナとを備えており、さらにその間に配置されたパイロットバーナを備えている。パイロットバーナの近傍にはイグナイタと熱電対が配置されている。
上記風呂釜のガス通路は、共通路と、この共通路から上記３つのバーナに向かって分岐する分岐路とを有し、その分岐点には電磁開閉弁付きのガス栓が設けられている。
【０００３】
注湯，追焚を行う時にはまずパイロットバーナにガスを供給して点火させる。詳述すると、上記ガス栓を押すことにより、付設の電磁開閉弁を強制的に開き、さらにガス栓を回すことにより上記共通路とパイロットバーナへの分岐路とを連通させる。これにより、パイロットバーナへのガス供給が行われる。
これと同時に、回転ハンドルを掴んで回転させる。回転ハンドルの回転に伴い、打撃機構が圧電素子を間欠的に叩く。この圧電素子で生じた高電圧の電力が上記イグナイタに供給され、イグナイタに火花が生じ、この火花により上記パイロットバーナが点火される。
【０００４】
上記のようにしてパイロットバーナが点火されると、その火炎の熱で上記熱電対に電力が生じ、この電力で電磁開閉弁が開き状態に維持され、上記ガス栓の押圧状態を解除してもパイロットバーナへのガス供給が継続され、パイロットバーナの火炎が口火として残る。
その後で、上記ガス栓を回して、上記共通路を上記注湯用バーナや追焚バーナに向かう分岐路に連通させ、これらバーナにガスを供給すると、上記パイロットバーナの口火で着火させることができ、給湯や追焚を行うことができる。
【０００５】
【発明が解決しようとする課題】
上記風呂釜では、パイロットバーナを必要とし、このパイロットバーナの分だけバーナ設置面積を余分に必要とし、ひいては風呂釜のサイズの大型化を招いていた。
また、上記パイロットバーナの点火に際して、複合操作が必要である。すなわち、左手でガス栓を押し回してパイロットバーナへガスを供給する操作と、右手で回転ハンドルを回してイグナイタに火花を起こさせる操作である。このように両手を使って２つの操作を同時に行わないと、パイロットバーナへの点火を行うことができないので、高齢者や身体の不自由な人にとって、点火操作が困難か不可能であった。
更に、パイロットバーナへのガス供給開始に対してイグナイタの火花発生が遅れると、パイロットバーナから放出されたガスが一度に燃焼して大きな爆発音を発生させることがあり、上記２つの操作のタイミングの取り方が難しかった。
上記問題点は、従来のパイロットバーナ付きの給湯装置においても、同様であった。
【０００６】
【課題を解決するための手段】
第１の発明に係わる給湯装置は、（イ）給湯バーナと、（ロ）上記給湯バーナからの熱を受ける給湯熱交換器と、（ハ）上記給湯熱交換器を通る給湯配管と、（ニ）上記給湯バーナにガスを供給する給湯ガス通路と、（ホ）上記給湯配管の水流により発電を行う水流発電機と、（ヘ）上記給湯ガス通路に設けられるとともに上記水流発電機に接続され、水流発電機からの電力を受けて開くことにより、上記給湯バーナへのガス供給を行う電磁開閉弁と、（ト）上記給湯バーナの近傍に配置されるとともに上記水流発電機に接続され、水流発電機からの電力を受けて火花を発生させることにより、上記給湯バーナを点火させるイグナイタと、を備えたことを特徴とする。
【０００７】
第２の発明は、第１の発明に係わる給湯装置において、さらに、上記給湯バーナの近傍に配置され給湯バーナの火炎からの熱を電力に変換する熱電変換手段を備え、上記電磁開閉弁は、弁体とこの弁体に固定されたアーマチャと、上記水流発電機からの電力を受けてアーマチャを引き付けることにより弁体を開動作させる主電磁コイルと、上記熱電変換手段からの電力を受けて上記アーマチャを引き付けることにより、上記弁体の開状態を維持する副電磁コイルとを有し、さらに主電磁コイル用のスイッチ手段を備え、このスイッチ手段は、上記水流発電機を電源とする上記主電磁コイルの給電回路に組み込まれ、上記給湯バーナの火炎の熱を受けない時にオンし、この熱を受けた時にオフすることを特徴とする。
第３の発明は、第２の発明に係わる給湯装置において、さらに副電磁コイル用のスイッチ手段を備え、このスイッチ手段は、上記熱電変換手段を電源とする上記副電磁コイルの給電回路に組み込まれ、上記水流発電機からの電力を受けた時にオンし、水流発電機からの電力を受けない時にオフすることを特徴とする。
第４の発明は、第１〜第３のいずれかの発明に係わる給湯装置さらにイグナイタ用のスイッチ手段を備え、このスイッチ手段は、上記水流発電機を電源とする上記イグナイタの給電回路に組み込まれ、上記給湯バーナの火炎の熱を受けない時にオンし、この熱を受けた時にオフすることを特徴とする。
【０００８】
第５の発明は、第１〜４のいずれかの発明に係わる給湯装置と、追焚装置とを装備してなる風呂釜において、この追焚装置は、（イ）追焚バーナと、（ロ）上記追焚バーナからの熱を受ける追焚熱交換器と、（ハ）上記追焚熱交換器を通り浴槽に連なる追焚配管と、（ニ）上記追焚バーナにガスを供給する追焚ガス通路と、（ホ）手動発電機と、（ヘ）この手動発電機を回転させて電力を生じさせる手動操作手段と、（ト）上記追焚ガス通路に設けられるとともに上記手動発電機に接続され、手動発電機からの電力を受けて開くことにより、上記追焚バーナへのガス供給を行う他の電磁開閉弁と、（ヘ）上記追焚バーナの近傍に配置されるとともに上記手動発電機に接続され、手動発電機からの電力を受けて火花を発生させることにより、上記追焚バーナを点火させる他のイグナイタと、を備えたことを特徴とする。
【０００９】
第６の発明は、第５の発明に係わる風呂釜において、さらに、上記追焚バーナの近傍に配置され追焚バーナの火炎からの熱を電力に変換する他の熱電変換手段を備え、上記他の電磁開閉弁は、弁体とこの弁体に固定されたアーマチャと、上記発電機からの電力を受けてアーマチャを引き付けることにより弁体を開動作させる主電磁コイルと、当該他の熱電変換手段からの電力を受けて上記アーマチャを引き付けることにより、上記弁体の開状態を維持する副電磁コイルとを有することを特徴とする。
【０００１０】
【発明の実施の形態】
以下、本発明の第１の実施形態をなす給湯，追焚機能を有する風呂釜について図１〜図７を参照して説明する。まず、図７を参照して風呂釜Ａの概略を説明する。風呂釜Ａは、ハウジング１を備え、このハウジング１内にガス管２と給水管３を導入し、ハウジング１から出湯管４ａとシャワー４ｂとを導出している。ハウジング１の側壁からは吸い込み管５ａと吐出管５ｂが突出しており、これら管５ａ，５ｂは、浴槽Ｂを貫通してその先端を浴槽Ｂ内に臨ませている。
さらに、ハウジング１の上壁には、ガス栓６，出湯温度調節つまみ７，出湯切り替え栓８（給湯栓）が設けられ、前壁には追焚時の点火操作のための回転ハンドル９（回転操作部材）が設けられている。
【００１１】
図５に示すように、上記ハウジング１内には、給湯バーナ１１と追焚バーナ１２が隣接して同一水平面上に配置されている。従来の風呂釜のように両バーナ１１，１２間に配置されるパイロットバーナは、存在しない。
上記ハウジング１内において、給湯バーナ１１の上方には給湯熱交換器１５が配置され、追焚バーナ１２の上方には追焚熱交換器１６が配置されている。
上記給湯バーナ１１と給湯熱交換器１５とで、給湯装置Ｘの主要部を構成している。また、追焚バーナ１２と追焚熱交換器１６とで追焚装置Ｙの主要部を構成している。
【００１２】
上記給湯熱交換器１５を通る給湯配管１８（図１にのみ示す）は、一端が上記給水管３に連なり、他端が上記出湯切り替え栓８に連なっている。この出湯切り替え栓８は、上記給湯配管１８を閉じたり、給湯配管１８を上記出湯管４ａ，４ｂのいずれかに選択的に接続するものである。
上記追焚熱交換器１６を通る追焚配管（図示しない）は、一端が上記吸い込み管５ａに接続され、他端が吐出管５ｂに連なっている。浴槽Ｂ内の湯は、吸い込み管５ａから吸い込まれ、熱交換器１６で加熱されて（追い焚き）、吐出管５ｂから浴槽Ｂ内に戻るようになっている。
【００１３】
次に、上記バーナ１１，１２へのガス供給のための構成について、図６を参照しながら説明する。ハウジング１内には、管等で構成されたガス通路２０が配置されている。このガス通路２０は、一端が上記ガス管２に接続された共通路２１と、この共通路２１から２つの分岐した分岐路２４，２５とを有している。この分岐点に上記ガス栓６が設けられている。一方の分岐路２４（給湯ガス通路）は給湯バーナ１１に連なり，他方の分岐路２５（追焚ガス通路）は追焚バーナ１２に連なっている。
【００１４】
上記ガス栓６は、図４に示すように、ケーシング６ａと、このケーシング６ａに収容された栓体６ｂとを有している。ケーシング６ａには３つのポート６ｘ，６ｙ，６ｚが形成され、これらポート６ｘ，６ｙ，６ｚには、上記共通路２１，分岐路２４，２５がそれぞれ接続されている。
上記栓体６ｂが図４において実線で示すようにポート６ｙ，６ｚを塞いでいる時には、給湯バーナ１１，追焚バーナ１２にガスが供給されない。栓体６ｂを回すと、ポート６ｙまたは想像線で示すようにポート６ｙ，６ｚが開く。これにより、共通路２１が、給湯バーナ１１への分岐路２４や追焚バーナ１２への分岐路２５に連通される。
【００１５】
図６に示すように、上記分岐路２４，２５には、それぞれ電磁開閉弁３０Ａ，３０Ｂが設けられている。図１，図２にそれぞれ示すように、これら電磁開閉弁３０Ａ，３０Ｂは、ケーシング３１と、このケーシング３１に収容された弁体３２，アーマチャ３３，主電磁コイル３４，副電磁コイル３５とを備えている。ケーシング３１の下部周壁には、ガス流入ポート３１ａが形成されており、底壁には弁孔３１ｂが形成されている。ガス流入ポート３１ａには、上記分岐路２４または分岐路２５の上流側が接続されており、弁孔３１ｂには分岐路２４または分岐路２５の下流側が接続されている。
上記弁体３２は、コイルスプリング３６の力で弁孔３１ｂを塞いでいる。
【００１６】
上記アーマチャ３３は、円筒形状の周壁３３ａと、その下端を塞ぐ底壁３３ｂとを有している。この底壁３３ｂの中央に、上記弁体３２のロッド部３２ａの上端が固定されている。
上記主電磁コイル３４は、アーマチャ３３の周壁３３ａの内側においてこの周壁３３ａの上端近傍に配置されている。上記副電磁コイル３５は主電磁コイル３４と底壁３３ｂの間に配置されている。副電磁コイル３５の内側には鉄心３７が配置されている。
なお、これら電磁コイル３４，３５が巻かれるボビン（図示しない）は互いに連結され、上記ケーシング３１の上壁に固定されている。図１，図２において、電磁コイル３４，３５の引き出し線は、理解を容易にするためにケーシング３１の周壁から導出されるように示しているが、実際には上壁から導出される。
【００１７】
図１に示すように、給湯装置Ｘにおいて、電磁開閉弁３０Ａの主電磁コイル３４は、上記給湯配管１８に設けられた水流発電式のダイナモ発電機４０Ａ（以下、水流発電機と称す）に接続されている。この水流発電機４０Ａは、給湯配管１８に臨む回転羽根を有し、水流により回転羽根が回転した時に発電がなされるようになっている。
上記水流発電機４０Ａを電源とする電磁開閉弁３０Ａへの給電回路には、バイメタルスイッチ４１（主電磁コイルのためのスイッチ手段）が、主電磁コイル３４と直列をなして、組み込まれている。このバイメタルスイッチ４１は、給湯バーナ１１の近傍に配置されており、その燃焼熱を受けない時にはオンしており、燃焼熱を受けた時にはオフするようになっている。
【００１８】
上記電磁開閉弁３０Ａの副電磁コイル３５には、熱電対４２Ａ（熱電変換手段）が接続されており、この熱電対４２Ａは上記給湯バーナ１１の近傍に配置されている。この熱電対４２Ａを電源とする副電磁コイル３５の給電回路には、この副電磁コイル３５と直列をなして、リレースイッチ４３（副電磁コイルのためのスイッチ手段）の接点４３ａが組み込まれている。このリレースイッチ４３のリレーコイル４３ｂは、上記水流発電機４０Ａに接続されている。このリレースイッチ４３は、水流発電機４０Ａからの電力を受けない時にオフし、水流発電機４０Ａからの電力を受けた時にオンするようになっている。
【００１９】
さらに、上記水流発電機４０Ａには、イグナイタトランス４６Ａを介してイグナイタ４７Ａが接続されている。このイグナイタ４７Ａは、上記給湯バーナ１１の近傍に配置されている。
上記イグナイタトランス４６Ａは、上記主電磁コイル３４と並列をなし上記バイメタルスイッチ４１と直列をなして接続されている。換言すれば、上記バイメタルスイッチ４１は、水流発電機４０Ａを電源とするイグナイタトランス４６Ａの給電回路にも組み込まれている。
【００２０】
図２に示すように、追焚装置Ｙにおいて、電磁開閉弁３０Ｂの主電磁コイル３４は、コンデンサを含む蓄電回路４４を介して、手動発電式のダイナモ発電機４０Ｂ（以下、手動発電機と称す）に接続されている。このダイナモ発電機４０Ｂは、ケーシング１内に収容され、歯車列４５を介して上記回転ハンドル９に連結されている。この歯車列４５は、回転ハンドル９に固定された歯車４５ａと発電機４０の駆動軸に固定された歯車４５ｂを含み、従動側の歯車４５ｂの回転数が原動側の歯車４５ａより著しく増大するように構成されている。上記回転ハンドル９と歯車列４５により、手動操作手段４９が構成されている。
【００２１】
上記手動発電機４０には、イグナイタトランス４６Ｂを介してイグナイタ４７Ｂが接続されている。このイグナイタ４７Ｂは、追焚バーナ１２の近傍に配置されている。
上記追焚バーナ１２の近傍には、熱電対４２Ｂ（熱電変換手段）も配置されている。この熱電対４２Ｂは上記電磁開閉弁３０Ｂの副電磁コイル３５に接続されている。
【００２２】
上記構成をなす風呂釜Ａの作用を説明する。まず、給湯について説明する。上記ガス栓６を回して、ポート６ｘとポート６ｙとを連ねることにより、共通路２１と分岐路２４が連なる。ただし、電磁開閉弁３０Ａが開いていないので、給湯バーナ１１へのガス供給は開始されない。
この状態で出湯切り替え栓８を回して、給湯配管１８を出湯管４ａまたはシャワー４ｂに連ねると、給湯配管１８に水流が生じ、水流発電機４０Ａに電力が生じる。その結果、水流発電機４０Ａを電源として、電磁開閉弁３０Ａの主電磁コイル３４と閉じ状態のバイメタル４１に直流電流が流れ、アーマチャ３３の周壁３３ａが主電磁コイル３４に引き付けられ、アーマチャ３３およびこれに固定された弁体３２が、コイルスプリング３６に抗して上方へ移動する。その結果、図３に示すように、弁孔３１ｂが開き、ひいてはガス通路２０の分岐路２４が開き、給湯バーナ１１へのガス供給が開始される。
なお、本実施形態では、この分岐路２４に従来設けられていた給水圧力に応答して開く水圧式開閉弁を省くことができる。
【００２３】
上記水流発電機４０Ａに生じた直流電流は、イグナイタトランス４６Ａにも供給され、ここで高電圧パルスが発生してイグナイタ４７Ａに供給される。その結果、イグナイタ４７Ａに火花が生じ、この火花により上記給湯バーナ１１から吹き出すガスに点火される。
上記給湯バーナ１１の火炎により、給湯熱交換器１５を通る水が加熱されて、出湯管４ａ，シャワー４ｂのいずれかから出湯がなされる。
【００２４】
上記のように、給湯バーナ１１へのガス供給開始（電磁開閉弁３０Ａの開動作）と、イグナイタ４７Ａでの火花発生が、共通の発電機４０Ａの電力により、ほぼ同時期に行われるので、給湯バーナ１１１の点火動作を確実に行うことができるとともに、点火遅れに伴う爆発音の発生を回避することができる。
また、上記ガス供給開始と火花発生のための操作は、出湯切り替え栓８を操作して給湯配管１８に水を流すだけの簡単な操作で済み、従来のパイロットバーナの点火のように両方の手を使う必要がないので、操作性が良く、高齢者や身体の不自由な人にとって、点火操作が容易ないしは可能となる。
【００２５】
点火後、給湯バーナ１１の火炎でバイメタルスイッチ４１が加熱されると、このバイメタル４１はオフとなり、水流発電機４０Ａを電源とするイグナイタトランス４６Ａへの給電回路の遮断される。その結果、イグナイタ４７Ａは給湯バーナ１１の点火後に、火花発生を停止する。
【００２６】
上記バイメタルスイッチ４１のオフは、水流発電機４０Ａを電源とする主電磁コイル３４への給電回路の遮断をも伴い、主電磁コイル３４はアーマチャ３３の引き付けを停止する。しかしこの時には、熱電対４２Ａの起電力により副電磁コイル３５が励磁されて弁体３２の開き状態を維持しており、給湯バーナ１１へのガス供給は継続して行われる。
上記熱電対４２Ａと副電磁コイル３５の作用について詳述する。図３に示すように、上記主電磁コイル３４による弁体３２の開き状態では、電磁開閉弁３０Ａのアーマチャ３３の底壁３３ｂが副電磁コイル３５の鉄心３７に接するか近接した位置になる。給湯バーナ１１が点火されると、その火炎の熱により、上記熱電対４２Ａに電流が生じて副電磁コイル３５に流れ、その電磁力により、アーマチャ３３の底壁３３ｂを引き付け、弁体３２の開き状態を維持する。そのため、給湯バーナ１１へのガス供給は継続して行われるのである。
【００２７】
給湯バーナ１１が失火した時には、熱電対４２Ａが加熱されなくなり、副電磁弁３５が消磁され、弁体３２はコイルスプリング３６の力で閉じられる。その結果、給湯バーナ１１へのガス供給が停止される。このように、電磁開閉弁３０Ａの開き状態の維持（ガス供給状態の維持）は、水流発電機４０Ａを電源とする主電磁コイル３４ではなく、熱電対４２Ａを電源とする副電磁コイル３５により行うので、給湯バーナ１１の失火時には、給湯配管１８に水が流れていても、給湯バーナ１１へのガス供給を停止することができ、安全を確保できる。
【００２８】
給湯配管１８に水流がある限りは、水流発電機４０Ａからリレースイッチ４３のリレーコイル４３ｂに電流が流れ、その接点４３ａが閉じられてオンとなっている。そのため、給湯バーナ１１で燃焼を行われている状態で、上記熱電対４２Ａを電源として、副電磁コイル３５に電流が流れ、電磁開閉弁３５Ａの開き状態を維持でき、給湯バーナ１１へのガス供給が継続される。
出湯切り替え栓８が閉じられて、給湯配管４０Ａに水流がなくなると、リレースイッチ４３がオフとなるので、熱電対４２Ａが給湯バーナ１１の火炎で起電力を発生している状態にあっても、副電磁弁３５への給電回路を遮断して、電磁開閉弁３５Ａを閉じることができ、これにより空焚きを防止することができる。
【００２９】
なお、ガス栓６のポート６ｙを閉じた状態で、出湯切り替え栓８を開いた場合には、給湯配管１８を通って加熱されない水が、出湯管４ａやシャワー４ｂから吐出される。
【００３０】
次に、追焚の作用について説明する。図４において想像線で示すように上記ガス栓６を回して、ポート６ｘ，６ｙ，６ｚを開くと、共通路２１が追焚バーナ１２に向かう分岐路２５にも接続される。この状態では、電磁開閉弁３０Ｂが閉じられているので、追焚バーナ１２へのガス供給は開始されない。
上記ガス栓６の操作後に、回転ハンドル９を回すと、歯車列４５を介して手動発電機４０Ｂの駆動軸が高速回転され、この手動発電機４０Ｂに直流電流が生じ、この電流が電磁開閉弁３０Ｂの主電磁コイル３４を流れる。その結果、上記電磁開閉弁３０Ａの場合と同様に弁体３２が上方へ移動して弁孔３１ｂが開き、ひいては分岐路２５が開き、追焚バーナ１２へのガス供給が開始される。
【００３１】
上記回転ハンドル９の回転操作により手動発電機４０Ｂに生じた直流電流は、イグナイタトランス４６Ｂにも供給され、イグナイタ４７Ｂに火花が生じ、この火花により上記追焚バーナ１２が点火される。これにより、追焚がなされる。
【００３２】
上記のように、追焚バーナ１２へのガス供給開始（電磁開閉弁３０Ｂの開動作）と、イグナイタ４７Ｂでの火花発生が、共通の発電機４０Ｂの電力により、ほぼ同時期に行われるので、追焚バーナ１２の点火動作を確実に行うことができるとともに、点火遅れに伴う爆発音の発生を回避することができる。
また、上記ガス供給開始と火花発生のための操作は、回転ハンドル９を回転操作するだけでよく、従来のように両方の手を使う必要がないので、操作性が良く、高齢者や身体の不自由な人にとって、点火操作が容易ないしは可能となる。
【００３３】
追焚バーナ１２が点火されると、その火炎の熱により、上記熱電対４２Ｂに電流が生じ電磁開閉弁３０Ｂの副電磁コイル３５の磁力により、電磁開閉弁３０Ｂの開き状態を維持でき、追焚バーナ１２へのガス供給を継続することができる。追焚バーナ１２の失火時には、副電磁コイル３５の磁力が消失して、電磁開閉弁３０Ｂが閉じ、追焚バーナ１２へのガス供給が停止される。
【００３４】
上記追焚バーナ１２が点火した直後に、回転ハンドル９の回転操作を止めて発電機４０Ｂによる発電を終了してしまった場合には、上記熱電対４２Ｂの加熱が十分でなく副電磁コイル３５の磁力が電磁開閉弁３０Ｂの開き状態を維持できるほど大きくならない。しかし、本実施形態では、上記回転ハンドル９の回転操作を終了した後、発電機４０Ｂでの発電に伴って蓄電回路４４に蓄えられた電荷が、主電磁コイル３４へと流れる。そのため、熱電対４２Ｂから副電磁コイル３５へ十分な電流が流れるまで、主電磁コイル３４で弁体３２の開き状態を一時的に維持できる。したがって、副電流コイル３５による弁体３２の開き状態維持へ確実に移行することができる。
上記追焚バーナ１２の燃焼は、ガス栓６を回して共通路２１と分岐路２５との連通を遮断することにより、停止される。
【００３５】
本実施形態では、パイロットバーナは存在せず、給湯，追焚のたびに給湯バーナ１１，追焚バーナ１２での点火動作が行われる。このようにパイロットバーナを用いずに済むので、バーナ１１，１２の設置面積が小さくなり、ひいては風呂釜Ａを小型にすることができる。また、パイロットバーナで口火を残さずに済むので、省エネルギーとなる。
また、本実施形態では、電磁開閉弁３０Ａ，３０Ｂの開き動作および開き状態の維持のために、外部の交流電力を用いずに済むので風呂釜Ａへの電気配線が不要であり、また乾電池も使用せずに済む。
【００３６】
本発明は上記実施形態に制約されず、種々の態様を採用可能である。例えば、上記実施形態におけるガス栓６を分岐路２４，２５の分岐点に設けず、追焚バーナ１２に向かう分岐路２５の途中に開閉のためのガス栓を設けてもよい。この場合、給湯は単に出湯切り替え栓の操作だけで点火がなされる。
また、追焚バーナ１２に向かうガス通路にガス栓を設けなくてもよい。この場合、熱電対４２Ｂを電源とする副電磁弁３５の給電回路に、押しボタン式のスイッチを組み込んでおく。追焚を停止する際には、このスイッチを押して一時的にオフにし、電磁開閉弁３０Ｂを閉じて、追焚バーナ１２へのガス供給を停止する。
上記手動発電機を手動操作する手段は、回転ハンドルの代わりに、ハウジングに形成された長穴を往復動するレバーを用いてもよい。また、押圧操作部を有するラックを歯車列４５の歯車４５ａに噛み合わせ、このラックの押し操作により手動発電機を駆動してもよい。さらに、歯車４５ａにボビンを固定し、このボビンに巻き付けられた紐体を引っ張ることにより発電機を駆動してもよい。
本発明を給湯だけを行う装置に適用してもよい。
【００３７】
【発明の効果】
以上説明したように、第１の発明によれば、給湯装置において給湯配管に水流が生じた時に、水流発電機に生じた電力により、給湯バーナへのガス供給開始（電磁開閉弁の開動作）と、イグナイタでの火花発生が、ほぼ同時期に行われるので、給湯バーナの点火動作を確実に行うことができるとともに、点火遅れに伴う爆発音の発生を回避することができる。
また、給湯配管に水流を流すことにより点火動作を行えるので、従来のように両方の手を使う必要がないので操作性が良く、高齢者や身体の不自由な人にとって給湯バーナへの点火操作が容易ないしは可能となる。
しかも、パイロットバーナを省くことができるので、給湯装置を小型にすることができる。また、給湯の準備のためにパイロットバーナに口火を残しておく必要がないので、省エネルギーを図ることもできる。
【００３８】
第２の発明によれば、電磁開閉弁の開き状態の維持を水流発電機の電力でなく熱電変換手段の電力で行うので、給湯配管に水流がある状態で給湯バーナが失火した時でも、給湯バーナへのガス供給を確実に停止でき、安全を確保できる。
第３の発明によれば、熱電変換手段の電力による電磁開閉弁の開き状態維持を、給湯配管の水流がなくなった時に解除するので、空焚きを防止でき、安全を確保できる。
第４の発明によれば、イグナイタの火花発生を、給湯バーナへの点火時点だけ行うようにしたので、騒音の発生を押さえることができる。
【００３９】
第５の発明によれば、風呂釜においてパイロットバーナを省くことができ、風呂釜の小型化，省エネルギーを図ることができる。
また、追焚バーナへのガス供給開始（電磁開閉弁の開動作）と、イグナイタでの火花発生が、共通の手動発電機の電力によりほぼ同時期に行われるので、追焚バーナの点火動作を確実に行うことができるとともに、点火遅れに伴う爆発音の発生を回避することができる。さらに、上記追焚バーナへのガス供給開始と火花発生は、手動操作手段による１つの操作で済み、従来のように両方の手を使う必要がないので操作性が良く、高齢者や身体の不自由な人にとって、追焚バーナへの点火操作が容易ないしは可能となる。
第６の発明によれば、電磁開閉弁の開き動作を手動発電機で行うとともに、開き状態維持も熱電変換手段で行うので、電源や乾電池を用いずに済む。
【図面の簡単な説明】
【図１】本発明の第１実施形態をなす風呂釜の給湯装置要部を示すとともに、閉じ状態の電磁開閉弁を断面で示す図である。
【図２】同風呂釜の追焚装置要部を示すとともに、閉じ状態の電磁開閉弁を断面で示す図である。
【図３】同電磁開閉弁の開き状態を示す断面図である。
【図４】同風呂釜に用いられるガス栓の横断面図である。
【図５】同風呂釜における給湯装置，追焚装置のバーナと熱交換器の配置を示す概略図である。
【図６】同風呂釜における給湯バーナ，追焚バーナへ向かうガス通路の概略を示す図である。
【図７】同風呂釜の斜視図である。
【符号の説明】
Ａ  風呂釜
Ｘ  給湯装置
Ｙ  追焚装置
６  ガス栓
８  出湯切り替え栓（給湯栓）
１１  給湯バーナ
１２  追焚バーナ
１５  給湯熱交換器
１６  追焚熱交換器
１８  給湯配管
２４  分岐路（給湯ガス通路）
２５  分岐路（追焚ガス通路）
３０Ａ，３０Ｂ  電磁開閉弁
３２  弁体
３３  アーマチャ
３４  主電磁コイル
３５  副電磁コイル
４０Ａ  水流発電機
４０Ｂ  手動発電機
４１  バイメタルスイッチ（主電磁コイル用，イグナイタ用のスイッチ手段）
４２Ａ，４２Ｂ  熱電対（熱電変換手段）
４３  リレースイッチ（副電磁コイル用のスイッチ手段）
４７Ａ，４７Ｂ  イグナイタ
４９  手動操作手段
【図１】
0003798166.tif 000002
【図２】
0003798166.tif 000003
【図３】
0003798166.tif 000004
【図４】
0003798166.tif 000005
【図５】
0003798166.tif 000006
【図６】
0003798166.tif 000007
【図７】
0003798166.tif 000008